(57)【要約】  【課題】  帯域切換（バンドトランスレーティング）機能を有する衛星放送受信用コンバータにおいて、不要な信号成分を低減させ、スプリアスの発生を抑制する。  【解決手段】  帯域切換スイッチ１４は、高周波側帯域に変換された第１衛星からの左旋偏波信号（Ｌ１）と低周波側帯域に変換された第１衛星からの右旋偏波信号（Ｒ１）との合成信号、及び高周波側帯域に変換された第２衛星からの左旋偏波信号（Ｌ２）と低周波側帯域に変換された第２衛星からの右旋偏波信号（Ｒ２）との合成信号を入力する。帯域切換スイッチ１４の出力側には、低周波側帯域の成分を除去するためのＨＰＦ１５、４５（高周波側帯域の成分を除去するためのＬＰＦ１６、４６）が備えられているが、それに加えて低周波側帯域の成分を除去するためのトラップ回路３１、６１（高周波側帯域の成分を除去するためのトラップ回路３２、６２）を設ける。【選択図】      図１
2006148379.tif 000002
【特許請求の範囲】
【請求項１】
第１衛星からの放送電波に含まれる第１偏波信号を、第１周波数帯域に変換して出力する第１ミキサと、
第１衛星からの放送電波に含まれる第２偏波信号を、第１周波数帯域より低周波側の第２周波数帯域に変換して出力する第２ミキサと、
第２衛星からの放送電波に含まれる第３偏波信号を、第１周波数帯域に変換して出力する第３ミキサと、
第２衛星からの放送電波に含まれる第４偏波信号を、第２周波数帯域に変換して出力する第４ミキサと、
第１ミキサの出力信号と第２ミキサの出力信号とを合成した信号を受ける第１入力端子、及び第３ミキサの出力信号と第４ミキサの出力信号とを合成した信号を受ける第２入力端子を有すると共に、第１出力端子、第２出力端子、第３出力端子及び第４出力端子を有し、
第１周波数帯域の第１偏波信号と第２周波数帯域の第２偏波信号とを合成した第１合成信号、
第１周波数帯域の第２偏波信号と第２周波数帯域の第１偏波信号とを合成した第２合成信号、
第１周波数帯域の第３偏波信号と第２周波数帯域の第４偏波信号とを合成した第３合成信号、及び
第１周波数帯域の第４偏波信号と第２周波数帯域の第３偏波信号とを合成した第４合成信号の内の何れかを１つの合成信号を、外部から供給される選択信号に応じて第１〜第４出力端子の出力端子毎に選択し、それら選択された信号を第１〜第４出力端子の各出力端子から出力する帯域切換スイッチと、
第１出力端子からの出力信号中における第２周波数帯域の成分を減衰させるためのハイパスフィルタと、
前記ハイパスフィルタの前段または後段に配置され、第１出力端子からの出力信号中における第２周波数帯域の成分を減衰させるためのトラップ回路と、
前記ハイパスフィルタと前記トラップ回路とにより第２周波数帯域の成分が減衰された第１出力端子からの出力信号と、第２出力端子からの出力信号に基づく信号とを合成する合成器と、を備えた
ことを特徴とする衛星放送受信用コンバータ。
【請求項２】
第１衛星からの放送電波に含まれる第１偏波信号を、第１周波数帯域に変換して出力する第１ミキサと、
第１衛星からの放送電波に含まれる第２偏波信号を、第１周波数帯域より低周波側の第２周波数帯域に変換して出力する第２ミキサと、
第２衛星からの放送電波に含まれる第３偏波信号を、第１周波数帯域に変換して出力する第３ミキサと、
第２衛星からの放送電波に含まれる第４偏波信号を、第２周波数帯域に変換して出力する第４ミキサと、
第１ミキサの出力信号と第２ミキサの出力信号とを合成した信号を受ける第１入力端子、及び第３ミキサの出力信号と第４ミキサの出力信号とを合成した信号を受ける第２入力端子を有すると共に、第１出力端子、第２出力端子、第３出力端子及び第４出力端子を有し、
第１周波数帯域の第１偏波信号と第２周波数帯域の第２偏波信号とを合成した第１合成信号、
第１周波数帯域の第２偏波信号と第２周波数帯域の第１偏波信号とを合成した第２合成信号、
第１周波数帯域の第３偏波信号と第２周波数帯域の第４偏波信号とを合成した第３合成信号、及び
第１周波数帯域の第４偏波信号と第２周波数帯域の第３偏波信号とを合成した第４合成信号の内の何れかを１つの合成信号を、外部から供給される選択信号に応じて第１〜第４出力端子の出力端子毎に選択し、それら選択された信号を第１〜第４出力端子の各出力端子から出力する帯域切換スイッチと、
第２出力端子からの出力信号中における第１周波数帯域の成分を減衰させるためのローパスフィルタと、
前記ローパスフィルタの前段または後段に配置され、第２出力端子からの出力信号中における第１周波数帯域の成分を減衰させるためのトラップ回路と、
前記ローパスフィルタと前記トラップ回路とにより第１周波数帯域の成分が減衰された第２出力端子からの出力信号と、第１出力端子からの出力信号に基づく信号とを合成する合成器と、を備えた
ことを特徴とする衛星放送受信用コンバータ。
【請求項３】
前記トラップ回路は、前記第２周波数帯域内の互いに異なる所定の周波数を減衰の中心周波数とする複数のトラップ部からなる
ことを特徴とする請求項１に記載の衛星放送受信用コンバータ。
【請求項４】
前記トラップ回路は、前記第１周波数帯域内の互いに異なる所定の周波数を減衰の中心周波数とする複数のトラップ部からなる
ことを特徴とする請求項２に記載の衛星放送受信用コンバータ。
【請求項５】
各トラップ部は、誘導素子と容量素子とによる直列共振回路であり、
前記減衰の中心周波数とは、直列共振周波数である
ことを特徴とする請求項３または請求項４に記載の衛星放送受信用コンバータ。
【請求項６】
第１衛星からの放送電波に含まれる第１偏波信号を、第１周波数帯域に変換して出力する第１ミキサと、
第１衛星からの放送電波に含まれる第２偏波信号を、第１周波数帯域より低周波側の第２周波数帯域に変換して出力する第２ミキサと、
第２衛星からの放送電波に含まれる第３偏波信号を、第１周波数帯域に変換して出力する第３ミキサと、
第２衛星からの放送電波に含まれる第４偏波信号を、第２周波数帯域に変換して出力する第４ミキサと、
第１ミキサの出力信号と第２ミキサの出力信号とを合成した信号を受ける第１入力端子、及び第３ミキサの出力信号と第４ミキサの出力信号とを合成した信号を受ける第２入力端子を有すると共に、第１出力端子、第２出力端子、第３出力端子及び第４出力端子を有し、
第１周波数帯域の第１偏波信号と第２周波数帯域の第２偏波信号とを合成した第１合成信号、
第１周波数帯域の第２偏波信号と第２周波数帯域の第１偏波信号とを合成した第２合成信号、
第１周波数帯域の第３偏波信号と第２周波数帯域の第４偏波信号とを合成した第３合成信号、及び
第１周波数帯域の第４偏波信号と第２周波数帯域の第３偏波信号とを合成した第４合成信号の内の何れかを１つの合成信号を、外部から供給される選択信号に応じて第１〜第４出力端子の出力端子毎に選択し、それら選択された信号を第１〜第４出力端子の各出力端子から出力する帯域切換スイッチと、
第１出力端子からの出力信号中における第２周波数帯域の成分を減衰させるための第１ハイパスフィルタと、
第２出力端子からの出力信号中における第１周波数帯域の成分を減衰させるための第１ローパスフィルタと、
第３出力端子からの出力信号中における第２周波数帯域の成分を減衰させるための第２ハイパスフィルタと、
第４出力端子からの出力信号中における第１周波数帯域の成分を減衰させるための第２ローパスフィルタと、
第１ハイパスフィルタの前段または後段に配置され、第１出力端子からの出力信号中における第２周波数帯域の成分を減衰させるための第１トラップ回路と、
第１ローパスフィルタの前段または後段に配置され、第２出力端子からの出力信号中における第１周波数帯域の成分を減衰させるための第２トラップ回路と、
第２ハイパスフィルタの前段または後段に配置され、第３出力端子からの出力信号中における第２周波数帯域の成分を減衰させるための第３トラップ回路と、
第２ローパスフィルタの前段または後段に配置され、第４出力端子からの出力信号中における第１周波数帯域の成分を減衰させるための第４トラップ回路と、
第１ハイパスフィルタと第１トラップ回路とにより第２周波数帯域の成分が減衰された第１出力端子からの出力信号と、第１ローパスフィルタと第２トラップ回路とにより第１周波数帯域の成分が減衰された第２出力端子からの出力信号とを合成する第１合成器と、
第２ハイパスフィルタと第３トラップ回路とにより第２周波数帯域の成分が減衰された第３出力端子からの出力信号と、第２ローパスフィルタと第４トラップ回路とにより第１周波数帯域の成分が減衰された第４出力端子からの出力信号とを合成する第２合成器と、を備えた
ことを特徴とする衛星放送受信用コンバータ。
【発明の詳細な説明】
【技術分野】
【０００１】
本発明は、衛星放送受信用コンバータに関し、特に衛星放送用低雑音コンバータ（Low Noise Block Converter：以下、「ＬＮＢ」という）に関する。
【背景技術】
【０００２】
まず、代表的な衛星放送受信システムについて説明する。ＬＮＢは、衛星放送受信用アンテナに取り付けられるもので、衛星から到来する周波数が１２ＧＨｚ帯の微弱電波を１ＧＨｚ帯の中間周波数（ＩＦ周波数）に周波数変換し、かつ、低雑音増幅し、次に接続されるいわゆるＤＢＳチューナに低雑音でかつ十分なレベルの信号を供給する。ＤＢＳチューナは同軸ケーブルから与えられるこの信号を内部回路によって処理し、テレビジョン受像機に与える。
【０００３】
次に、図２及び図３を参照して、ＬＮＢの従来構成例について説明する。図２は、従来のＬＮＢの電気的な構成図である。図３は、図２の一部の拡大図であって、図２における帯域切換スイッチ（バンドトランスレーティングスイッチ；ＢＴ ＳＷ）１４周辺の動作を説明するための図である。図３において、図２と同一の部分には同一の符号を付してある。
【０００４】
図２に示すＬＮＢは、第１衛星（不図示）からの放送電波と、第２衛星（不図示）からの放送電波を受信可能となっている。また、チューナ（不図示）に接続される出力ポートが２つ（後述する出力ポート２０及び出力ポート５０）備えられている。即ち、２衛星受信、且つ２出力タイプのＬＮＢである。
【０００５】
第１衛星（不図示）から到来する１２ＧＨ帯の信号は、導波管内のアンテナプローブ３０で受信され、このアンテナプローブ３０から線路１に左旋偏波信号（以下、「Ｌ１偏波信号」という）が取り出され、線路２に右旋偏波信号（以下、「Ｒ１偏波信号」という）が取り出される。
【０００６】
第１衛星からの放送電波に含まれるこれらの偏波信号（Ｌ１偏波信号及びＲ１偏波信号）はいずれも１２.２〜１２.７ＧＨｚ帯域内の信号であり、低雑音増幅器（以下、「ＬＮＡ」という）３で増幅された後、Ｌ１偏波信号はバンドパスフィルタ（以下、「ＢＰＦ」という）４へ、Ｒ１偏波信号はＢＰＦ５へ伝送される。ＬＮＡ３はＬ１偏波信号を増幅するアンプ３ａ、３ｂとＲ１偏波信号を増幅するアンプ３ｃ、３ｄとからなっている。ＢＰＦ４及び５の夫々は、イメージ周波数帯域の信号を除去する役目を持つ。
【０００７】
ＢＰＦ４、５を通過した信号は、夫々ミキサ６、７へ伝送される。ミキサ６は局部発振器８から与えられる１４.３５ＧＨｚの局部発振信号と入力されたＬ１偏波信号との周波数差の中間周波信号を出力する。そのため、ミキサ６から出力される中間周波信号の周波数帯域は、（１４.３５ＧＨｚ−１２.２ＧＨｚ）〜（１４.３５ＧＨｚ−１２.７ＧＨｚ）＝１６５０ＭＨｚ〜２１５０ＭＨｚ、となる。
【０００８】
一方、ミキサ７は局部発振器９から与えられる１１.２５ＧＨｚの局部発振信号と入力されたＲ１偏波信号との周波数差の中間周波信号を出力する。ミキサ７から出力される中間周波信号の周波数帯域は、（１２.２ＧＨｚ−１１.２５ＧＨｚ）〜（１２.７ＧＨｚ−１１.２５ＧＨｚ）＝９５０ＭＨｚ〜１４５０ＭＨｚ、となる。
【０００９】
つまり、ミキサ６は、受信したＬ１偏波信号を高周波側の周波数帯域に変換して出力し、ミキサ７は、受信したＲ１偏波信号を低周波側の周波数帯域に変換して出力する。
【００１０】
以下、本明細書において、１６５０ＭＨｚ〜２１５０ＭＨｚの周波数帯域を「高周波側帯域」いい、９５０ＭＨｚ〜１４５０ＭＨｚの周波数帯域を「低周波側帯域」いう。
【００１１】
ミキサ６の出力信号は、高周波側帯域（１６５０ＭＨｚ〜２１５０ＭＨｚ）の帯域を通過させるハイパスフィルタ（以下、「ＨＰＦ」という）１０を介してＩＦ混合回路（合成器）１２に供給され、ミキサ７の出力信号は、低周波側帯域（９５０ＭＨｚ〜１４５０ＭＨｚ）の帯域を通過させるローパスフィルタ（以下、「ＬＰＦ」という）１１を介してＩＦ混合回路（合成器）１２に供給される。
【００１２】
ＩＦ混合回路１２において、ミキサ６の出力信号とミキサ７の出力信号とは合成（結合）され、更にＩＦアンプ１３にて、適切な雑音特性と利得特性を持つように増幅される。ＩＦアンプ１３の出力信号は、高周波側帯域（High Band）に変換されたＬ１偏波信号と、低周波側帯域（Low Band）に変換されたＲ１偏波信号とが共存した信号となっている（図３参照）。ＩＦアンプ１３の出力信号は、帯域切換スイッチ１４の一方の入力端子に与えられる。
【００１３】
また、第２衛星（不図示）から到来する１２ＧＨ帯の信号は、導波管内のアンテナプローブ６０で受信され、このアンテナプローブ６０から線路３１に左旋偏波信号（以下、「Ｌ２偏波信号」という）が取り出され、線路３２に右旋偏波信号（以下、「Ｒ２偏波信号」という）が取り出される。
【００１４】
第２衛星からの放送電波に含まれるこれらの偏波信号（Ｌ２偏波信号及びＲ２偏波信号）はいずれも１２.２〜１２.７ＧＨｚ帯域内の信号であり、ＬＮＡ３３で増幅された後、Ｌ２偏波信号はＢＰＦ３４へ、Ｒ２偏波信号はＢＰＦ３５へ伝送される。ＬＮＡ３３はＬ２偏波信号を増幅するアンプ３３ａ、３３ｂとＲ２偏波信号を増幅するアンプ３３ｃ、３３ｄとからなっている。ＢＰＦ３４及び３５の夫々は、イメージ周波数帯域の信号を除去する役目を持つ。
【００１５】
ＢＰＦ３４、３５を通過した信号は、夫々ミキサ３６、３７へ伝送される。ミキサ３６は局部発振器８から与えられる１４.３５ＧＨｚの局部発振信号と入力されたＬ２偏波信号との周波数差の中間周波信号を出力する。そのため、ミキサ３６から出力される中間周波信号の周波数帯域は、（１４.３５ＧＨｚ−１２.２ＧＨｚ）〜（１４.３５ＧＨｚ−１２.７ＧＨｚ）＝１６５０ＭＨｚ〜２１５０ＭＨｚ（高周波側帯域）、となる。
【００１６】
一方、ミキサ３７は局部発振器９から与えられる１１.２５ＧＨｚの局部発振信号と入力されたＲ２偏波信号との周波数差の中間周波信号を出力する。ミキサ３７から出力される中間周波信号の周波数帯域は、（１２.２ＧＨｚ−１１.２５ＧＨｚ）〜（１２.７ＧＨｚ−１１.２５ＧＨｚ）＝９５０ＭＨｚ〜１４５０ＭＨｚ（低周波側帯域）、となる。
【００１７】
つまり、ミキサ３６は、受信したＬ２偏波信号を高周波側の周波数帯域に変換して出力し、ミキサ３７は、受信したＲ２偏波信号を低周波側の周波数帯域に変換して出力する。
【００１８】
ミキサ３６の出力信号は、高周波側帯域（１６５０ＭＨｚ〜２１５０ＭＨｚ）の帯域を通過させるＨＰＦ４０を介してＩＦ混合回路（合成器）４２に供給され、ミキサ３７の出力信号は、低周波側帯域（９５０ＭＨｚ〜１４５０ＭＨｚ）の帯域を通過させるＬＰＦ４１を介してＩＦ混合回路（合成器）４２に供給される。
【００１９】
ＩＦ混合回路４２において、ミキサ３６の出力信号とミキサ３７の出力信号とは合成（結合）され、更にＩＦアンプ４３にて、適切な雑音特性と利得特性を持つように増幅される。ＩＦアンプ４３の出力信号は、高周波側帯域（High Band）に変換されたＬ２偏波信号と、低周波側帯域（Low Band）に変換されたＲ２偏波信号とが共存した信号となっている（図３参照）。ＩＦアンプ４３の出力信号は、帯域切換スイッチ１４の他方の入力端子に与えられる。
【００２０】
帯域切換スイッチ１４は、高周波側の出力として用いられる第１出力端子１４ａと、低周波側の出力として用いられる第２出力端子１４ｂと、高周波側の出力として用いられる第３出力端子１４ｃと、低周波側の出力として用いられる第４出力端子１４ｄと、を有している。
【００２１】
図４を用いて、帯域切換スイッチ１４から出力される信号の種類を説明する。図４（ａ）は、第１出力端子１４ａから出力される信号の種類と、後述するＨＰＦ１５の出力信号の種類を示している。図４（ｂ）は、第２出力端子１４ｂから出力される信号の種類と、後述するＬＰＦ１６の出力信号の種類を示している。図４（ｃ）は、第３出力端子１４ｃから出力される信号の種類と、後述するＨＰＦ４５の出力信号の種類を示している。図４（ｄ）は、第４出力端子１４ｄから出力される信号の種類と、後述するＬＰＦ４６の出力信号の種類を示している。
【００２２】
図４（ａ）に示す如く、帯域切換スイッチ１４は、第１出力端子１４ａから、高周波側帯域に変換されたＬ１偏波信号と低周波側帯域に変換されたＲ１偏波信号とが合成された（共存した）信号（以下、この信号を「合成信号α」という）、高周波側帯域に変換されたＲ１偏波信号と低周波側帯域に変換されたＬ１偏波信号とが合成された（共存した）信号（以下、この信号を「合成信号β」という）、高周波側帯域に変換されたＬ２偏波信号と低周波側帯域に変換されたＲ２偏波信号とが合成された（共存した）信号（以下、この信号を「合成信号γ」という）、及び高周波側帯域に変換されたＲ２偏波信号と低周波側帯域に変換されたＬ２偏波信号とが合成された（共存した）信号（以下、この信号を「合成信号δ」という）の内の何れか１つの信号を択一的に選択して出力する。
【００２３】
この選択は、マイクロコンピュータ等から成る制御部２１からの制御信号に基づいてなされ、該制御信号は、出力ポート２０に接続される外部のチューナ（不図示）からのパルス信号（選択信号）に基づいて作成される。即ち、出力ポート２０に接続されるチューナ（不図示）は、出力端子１４ａから出力される信号を、合成信号α、β、γ及びδの何れかに、任意に選択することができる。
【００２４】
同様に、図４（ｂ）に示す如く、帯域切換スイッチ１４は、第２出力端子１４ｂから、合成信号α、β、γ及びδの内の何れか１つの信号を択一的に選択して出力する。この選択も、制御部２１からの制御信号に基づいてなされ、該制御信号も、出力ポート２０に接続される外部のチューナ（不図示）からのパルス信号（選択信号）に基づいて作成される。即ち、出力ポート２０に接続されるチューナ（不図示）は、第２出力端子１４ｂから出力される信号を、合成信号α、β、γ及びδの何れかに、任意に選択することができる。
【００２５】
同様に、図４（ｃ）に示す如く、帯域切換スイッチ１４は、第３出力端子１４ｃから、合成信号α、β、γ及びδの内の何れか１つの信号を択一的に選択して出力する。この選択も、制御部２１からの制御信号に基づいてなされ、該制御信号は、出力ポート５０に接続される外部のチューナ（不図示）からのパルス信号（選択信号）に基づいて作成される。即ち、出力ポート５０に接続されるチューナ（不図示）は、第３出力端子１４ｃから出力される信号を、合成信号α、β、γ及びδの何れかに、任意に選択することができる。
【００２６】
同様に、図４（ｄ）に示す如く、帯域切換スイッチ１４は、第４出力端子１４ｄから、合成信号α、β、γ及びδの内の何れか１つの信号を択一的に選択して出力する。この選択も、制御部２１からの制御信号に基づいてなされ、該制御信号も、出力ポート５０に接続される外部のチューナ（不図示）からのパルス信号（選択信号）に基づいて作成される。即ち、出力ポート５０に接続されるチューナ（不図示）は、第４出力端子１４ｄから出力される信号を、合成信号α、β、γ及びδの何れかに、任意に選択することができる。
【００２７】
各出力端子１４ａ、１４ｂ、１４ｃ、１４ｄから出力される信号を、出力端子毎に、４つの合成信号（合成信号α、β、γ及びδ）の内の１つに選択するため、例えば、制御部２１からの上記制御信号は、８ビット（２ビット×４つの出力端子）のデジタル信号にて構成されることになる。尚、帯域切換スイッチ１４は、例えば、集積回路（ＩＣ）にて構成されている。
【００２８】
第１出力端子１４ａから出力される帯域切換スイッチ１４の出力信号は、高周波側帯域（１６５０ＭＨｚ〜２１５０ＭＨｚ）の成分を通過させ、低周波側帯域（９５０ＭＨｚ〜１４５０ＭＨｚ）の成分を減衰させるためのＨＰＦ１５に与えられる。これにより、第１出力端子１４ａから合成信号α、β、γ、δが出力されていた場合は、図４（ａ）に示す如く、ＨＰＦ１５において、それぞれＲ１偏波信号、Ｌ１偏波信号、Ｒ２偏波信号、Ｌ２偏波信号が除去される。
【００２９】
第２出力端子１４ｂから出力される帯域切換スイッチ１４の出力信号は、低周波側帯域（９５０ＭＨｚ〜１４５０ＭＨｚ）の成分を通過させ、高周波側帯域（１６５０ＭＨｚ〜２１５０ＭＨｚ）の成分を減衰させるためのＬＰＦ１６に与えられる。これにより、第２出力端子１４ｂから合成信号α、β、γ、δが出力されていた場合は、図４（ｂ）に示す如く、ＬＰＦ１６において、それぞれＬ１偏波信号、Ｒ１偏波信号、Ｌ２偏波信号、Ｒ２偏波信号が除去される。
【００３０】
第３出力端子１４ｃから出力される帯域切換スイッチ１４の出力信号は、高周波側帯域（１６５０ＭＨｚ〜２１５０ＭＨｚ）の成分を通過させ、低周波側帯域（９５０ＭＨｚ〜１４５０ＭＨｚ）の成分を減衰させるためのＨＰＦ４５に与えられる。これにより、第３出力端子１４ｃから合成信号α、β、γ、δが出力されていた場合は、図４（ｃ）に示す如く、ＨＰＦ４５において、それぞれＲ１偏波信号、Ｌ１偏波信号、Ｒ２偏波信号、Ｌ２偏波信号が除去される。
【００３１】
第４出力端子１４ｄから出力される帯域切換スイッチ１４の出力信号は、低周波側帯域（９５０ＭＨｚ〜１４５０ＭＨｚ）の成分を通過させ、高周波側帯域（１６５０ＭＨｚ〜２１５０ＭＨｚ）の成分を減衰させるためのＬＰＦ４６に与えられる。これにより、第４出力端子１４ｄから合成信号α、β、γ、δが出力されていた場合は、図４（ｄ）に示す如く、ＬＰＦ４６において、それぞれＬ１偏波信号、Ｒ１偏波信号、Ｌ２偏波信号、Ｒ２偏波信号が除去される。
【００３２】
ＨＰＦ１５の出力信号とＬＰＦ１６の出力信号は、共にＩＦ混合回路（合成器）１７に与えられて合成（結合）された後、ＩＦアンプ１８で増幅され、コンデンサ１９を介して出力ポート２０へ導出される。出力ポート２０はチューナ（不図示）の入力端子に接続される。
【００３３】
ＨＰＦ４５の出力信号とＬＰＦ４６の出力信号は、共にＩＦ混合回路（合成器）４７に与えられて合成（結合）された後、ＩＦアンプ４８で増幅され、コンデンサ４９を介して出力ポート５０へ導出される。出力ポート５０はチューナ（不図示）の入力端子に接続される。
【００３４】
尚、チューナ側から出力ポート２０及び出力ポート５０の少なくとも一方に直流電圧が供給されている。その直流電圧は図示されないレギュレータにより定電圧化され、ＬＮＢ内におけるＬＮＡ３等の各回路に電源電圧として供給される。また、チューナ側から伝送されるパルス信号（選択信号）を制御部２１に伝達するため、出力ポート２０と制御部２１を接続すると共に、出力ポート５０と制御部２１を接続している。
【００３５】
図２のＬＮＢは、２衛星受信、且つ２出力タイプのＬＮＢであるため、出力ポート２０及び出力ポート５０からの各出力信号を２分配し各出力ポートに２台のチューナ（不図示）を接続した場合、夫々のチューナ（合計４台のチューナの夫々）において、任意の衛星からの任意の偏波信号を利用可能である。このことについて、説明を加える。
【００３６】
今、出力ポート２０に、チューナＡ及びチューナＢの２台のチューナ（不図示）を接続した場合を考える。例えば、チューナＡが、Ｌ１偏波信号に含まれるチャンネルの受信を希望し、チューナＢが、Ｒ２偏波信号に含まれるチャンネルの受信を希望するとき、チューナＡは、制御部２１に対して “Ｌ１偏波信号に含まれるチャンネルの受信を希望する旨”のパルス信号（選択信号）を伝送し、チューナＢは、制御部２１に対して“Ｒ２偏波信号に含まれるチャンネルの受信を希望する旨”のパルス信号（選択信号）を伝送する。尚、制御部２１に対するチューナＡ及びＢからのパルス信号は、異なるタイミングで（時分割で）伝送される。
【００３７】
制御部２１は、チューナＡ及びＢからのパルス信号（選択信号）に応じた制御信号を帯域切換スイッチ１４に与える。すると、帯域切換スイッチ１４は、第１出力端子１４ａから合成信号αを出力すると共に、第２出力端子１４ｂから合成信号γを出力する。第１出力端子１４ａからの合成信号αの低周波側帯域は除去され、第２出力端子１４ｂからの合成信号γの高周波側帯域は除去されるため、出力ポート２０からは、高周波側帯域に変換されたＬ１偏波信号と低周波側帯域に変換されたＲ２偏波信号とが合成された（共存した）信号が出力される。この出力ポート２０からの信号をチューナＡ及びＢの夫々が受け取ることになるので、チューナＡ及びＢの上記希望は叶えられる。
【００３８】
このように、出力ポート２０及び５０に接続された各チューナは、任意の衛星からの任意の偏波信号を利用することができる。
【００３９】
また、下記特許文献１には、ＬＮＢの入力の導波管のショート面に、入力された信号成分のうち受信を希望しない信号の周波数に適合するスロットを設け、前記スロットの後部に前記受信を希望しない信号を吸収するための直列共振回路を設けたＬＮＢ装置が開示されている。
【００４０】
【特許文献１】特開平１１−３３０８１０号公報
【発明の開示】
【発明が解決しようとする課題】
【００４１】
しかしながら、図２に示す従来構成例においては、帯域切換スイッチ１４の後段に配置されるＨＰＦ１５、ＬＰＦ１６の減衰量が十分でないと、不要な信号がスプリアスとして出力される。例えば、ＨＰＦ１５の減衰量が十分でないと、第１出力端子１４ａ側からの低周波側帯域の信号が第２出力端子１４ｂ側からの信号に重畳され、スプリアスとして出力されることになってしまう。
【００４２】
同様に、帯域切換スイッチ１４の後段に配置されるＨＰＦ４５、ＬＰＦ４６の減衰量が十分でないと、不要な信号がスプリアスとして出力される。
【００４３】
また、上記特許文献１に記載のＬＮＢ装置は、受信を希望しない周波数の信号を導波管のプローブでピックアップされないようにし、必要な信号を良好な状態で受信できるようにすることを目的としたものであり、帯域切換（バンドトランスレーティング）機能を有する従来のＬＮＢが有する上記問題点を解決するものではない。
【００４４】
本発明は、上記の点に鑑み、帯域切換（バンドトランスレーティング）機能を有する衛星放送受信用コンバータにおいて、不要な信号成分を低減させ、スプリアスの発生を抑制することのできる衛星放送受信用コンバータを提供することを目的とする。
【課題を解決するための手段】
【００４５】
上記目的を達成するために、本発明に係る第１の衛星放送受信用コンバータは、第１衛星からの放送電波に含まれる第１偏波信号を、第１周波数帯域に変換して出力する第１ミキサと、第１衛星からの放送電波に含まれる第２偏波信号を、第１周波数帯域より低周波側の第２周波数帯域に変換して出力する第２ミキサと、第２衛星からの放送電波に含まれる第３偏波信号を、第１周波数帯域に変換して出力する第３ミキサと、第２衛星からの放送電波に含まれる第４偏波信号を、第２周波数帯域に変換して出力する第４ミキサと、  第１ミキサの出力信号と第２ミキサの出力信号とを合成した信号を受ける第１入力端子、及び第３ミキサの出力信号と第４ミキサの出力信号とを合成した信号を受ける第２入力端子を有すると共に、第１出力端子、第２出力端子、第３出力端子及び第４出力端子を有し、第１周波数帯域の第１偏波信号と第２周波数帯域の第２偏波信号とを合成した第１合成信号、第１周波数帯域の第２偏波信号と第２周波数帯域の第１偏波信号とを合成した第２合成信号、第１周波数帯域の第３偏波信号と第２周波数帯域の第４偏波信号とを合成した第３合成信号、及び第１周波数帯域の第４偏波信号と第２周波数帯域の第３偏波信号とを合成した第４合成信号の内の何れかを１つの合成信号を、外部から供給される選択信号に応じて第１〜第４出力端子の出力端子毎に選択し、それら選択された信号を第１〜第４出力端子の各出力端子から出力する帯域切換スイッチと、第１出力端子からの出力信号中における第２周波数帯域の成分を減衰させるためのハイパスフィルタと、前記ハイパスフィルタの前段または後段に配置され、第１出力端子からの出力信号中における第２周波数帯域の成分を減衰させるためのトラップ回路と、前記ハイパスフィルタと前記トラップ回路とにより第２周波数帯域の成分が減衰された第１出力端子からの出力信号と、第２出力端子からの出力信号に基づく信号とを合成する合成器と、を備えたことを特徴とする。
【００４６】
第１出力端子からの出力信号中における第２周波数帯域の成分が不要な信号成分である場合、その不要な信号成分は合成器に供給する前にできるだけ除去することが望ましいが、上記構成においては、上記ハイパスフィルタに加えトラップ回路を設けているため、第２周波数帯域の成分を十分に減衰させてから、第１出力端子からの出力信号を合成器に供給することができる。これにより、合成器において、第２出力端子からの出力信号に基づく信号に重畳する不要な信号成分が減少し、この結果、スプリアスの発生が抑制される。
【００４７】
また、上記目的を達成するために、本発明に係る第２の衛星放送受信用コンバータは、第１衛星からの放送電波に含まれる第１偏波信号を、第１周波数帯域に変換して出力する第１ミキサと、第１衛星からの放送電波に含まれる第２偏波信号を、第１周波数帯域より低周波側の第２周波数帯域に変換して出力する第２ミキサと、第２衛星からの放送電波に含まれる第３偏波信号を、第１周波数帯域に変換して出力する第３ミキサと、第２衛星からの放送電波に含まれる第４偏波信号を、第２周波数帯域に変換して出力する第４ミキサと、第１ミキサの出力信号と第２ミキサの出力信号とを合成した信号を受ける第１入力端子、及び第３ミキサの出力信号と第４ミキサの出力信号とを合成した信号を受ける第２入力端子を有すると共に、第１出力端子、第２出力端子、第３出力端子及び第４出力端子を有し、第１周波数帯域の第１偏波信号と第２周波数帯域の第２偏波信号とを合成した第１合成信号、第１周波数帯域の第２偏波信号と第２周波数帯域の第１偏波信号とを合成した第２合成信号、第１周波数帯域の第３偏波信号と第２周波数帯域の第４偏波信号とを合成した第３合成信号、及び第１周波数帯域の第４偏波信号と第２周波数帯域の第３偏波信号とを合成した第４合成信号の内の何れかを１つの合成信号を、外部から供給される選択信号に応じて第１〜第４出力端子の出力端子毎に選択し、それら選択された信号を第１〜第４出力端子の各出力端子から出力する帯域切換スイッチと、第２出力端子からの出力信号中における第１周波数帯域の成分を減衰させるためのローパスフィルタと、前記ローパスフィルタの前段または後段に配置され、第２出力端子からの出力信号中における第１周波数帯域の成分を減衰させるためのトラップ回路と、前記ローパスフィルタと前記トラップ回路とにより第１周波数帯域の成分が減衰された第２出力端子からの出力信号と、第１出力端子からの出力信号に基づく信号とを合成する合成器と、を備えたことを特徴とする。
【００４８】
第２出力端子からの出力信号中における第１周波数帯域の成分が不要な信号成分である場合、その不要な信号成分は合成器に供給する前にできるだけ除去することが望ましいが、上記構成においては、上記ローパスフィルタに加えトラップ回路を設けているため、第１周波数帯域の成分を十分に減衰させてから、第２出力端子からの出力信号を合成器に供給することができる。これにより、合成器において、第１出力端子からの出力信号に基づく信号に重畳する不要な信号成分が減少し、この結果、スプリアスの発生が抑制される。
【００４９】
また、例えば、上記第１の衛星放送受信用コンバータにおいて、前記トラップ回路は、前記第２周波数帯域内の互いに異なる所定の周波数を減衰の中心周波数とする複数のトラップ部からなるようにしてもよい。
【００５０】
これにより、広帯域にわたり不要な信号成分を減衰させることができる。この結果、スプリアスの発生がより抑制される。
【００５１】
また、例えば、上記第２の衛星放送受信用コンバータにおいて、前記トラップ回路は、前記第１周波数帯域内の互いに異なる所定の周波数を減衰の中心周波数とする複数のトラップ部からなるようにしてもよい。
【００５２】
これにより、広帯域にわたり不要な信号成分を減衰させることができる。この結果、スプリアスの発生がより抑制される。
【００５３】
また、具体的には、例えば、各トラップ部は、誘導素子と容量素子とによる直列共振回路であり、前記減衰の中心周波数とは、直列共振周波数である。
【００５４】
また、上記目的を達成するために、本発明に係る第３の衛星放送受信用コンバータは、第１衛星からの放送電波に含まれる第１偏波信号を、第１周波数帯域に変換して出力する第１ミキサと、第１衛星からの放送電波に含まれる第２偏波信号を、第１周波数帯域より低周波側の第２周波数帯域に変換して出力する第２ミキサと、第２衛星からの放送電波に含まれる第３偏波信号を、第１周波数帯域に変換して出力する第３ミキサと、第２衛星からの放送電波に含まれる第４偏波信号を、第２周波数帯域に変換して出力する第４ミキサと、第１ミキサの出力信号と第２ミキサの出力信号とを合成した信号を受ける第１入力端子、及び第３ミキサの出力信号と第４ミキサの出力信号とを合成した信号を受ける第２入力端子を有すると共に、第１出力端子、第２出力端子、第３出力端子及び第４出力端子を有し、第１周波数帯域の第１偏波信号と第２周波数帯域の第２偏波信号とを合成した第１合成信号、第１周波数帯域の第２偏波信号と第２周波数帯域の第１偏波信号とを合成した第２合成信号、第１周波数帯域の第３偏波信号と第２周波数帯域の第４偏波信号とを合成した第３合成信号、及び第１周波数帯域の第４偏波信号と第２周波数帯域の第３偏波信号とを合成した第４合成信号の内の何れかを１つの合成信号を、外部から供給される選択信号に応じて第１〜第４出力端子の出力端子毎に選択し、それら選択された信号を第１〜第４出力端子の各出力端子から出力する帯域切換スイッチと、第１出力端子からの出力信号中における第２周波数帯域の成分を減衰させるための第１ハイパスフィルタと、第２出力端子からの出力信号中における第１周波数帯域の成分を減衰させるための第１ローパスフィルタと、第３出力端子からの出力信号中における第２周波数帯域の成分を減衰させるための第２ハイパスフィルタと、第４出力端子からの出力信号中における第１周波数帯域の成分を減衰させるための第２ローパスフィルタと、第１ハイパスフィルタの前段または後段に配置され、第１出力端子からの出力信号中における第２周波数帯域の成分を減衰させるための第１トラップ回路と、第１ローパスフィルタの前段または後段に配置され、第２出力端子からの出力信号中における第１周波数帯域の成分を減衰させるための第２トラップ回路と、第２ハイパスフィルタの前段または後段に配置され、第３出力端子からの出力信号中における第２周波数帯域の成分を減衰させるための第３トラップ回路と、第２ローパスフィルタの前段または後段に配置され、第４出力端子からの出力信号中における第１周波数帯域の成分を減衰させるための第４トラップ回路と、第１ハイパスフィルタと第１トラップ回路とにより第２周波数帯域の成分が減衰された第１出力端子からの出力信号と、第１ローパスフィルタと第２トラップ回路とにより第１周波数帯域の成分が減衰された第２出力端子からの出力信号とを合成する第１合成器と、第２ハイパスフィルタと第３トラップ回路とにより第２周波数帯域の成分が減衰された第３出力端子からの出力信号と、第２ローパスフィルタと第４トラップ回路とにより第１周波数帯域の成分が減衰された第４出力端子からの出力信号とを合成する第２合成器と、を備えたことを特徴とする。
【００５５】
第１出力端子からの出力信号中における第２周波数帯域の成分が不要な信号成分である場合、その不要な信号成分は第１合成器に供給する前にできるだけ除去することが望ましいが、上記構成においては、上記第１ハイパスフィルタに加え第１トラップ回路を設けているため、第２周波数帯域の成分を十分に減衰させてから、第１出力端子からの出力信号を第１合成器に供給することができる。これにより、第１合成器において、第２出力端子からの出力信号に基づく信号に重畳する不要な信号成分が減少し、この結果、スプリアスの発生が抑制される。
【００５６】
同様に、第３トラップ回路を設けているため、第２合成器において、第４出力端子からの出力信号に基づく信号に重畳する不要な信号成分が減少し、この結果、スプリアスの発生が抑制される。
【００５７】
また、第２出力端子からの出力信号中における第１周波数帯域の成分が不要な信号成分である場合、その不要な信号成分は第１合成器に供給する前にできるだけ除去することが望ましいが、上記構成においては、上記第１ローパスフィルタに加え第２トラップ回路を設けているため、第１周波数帯域の成分を十分に減衰させてから、第２出力端子からの出力信号を第１合成器に供給することができる。これにより、第１合成器において、第１出力端子からの出力信号に基づく信号に重畳する不要な信号成分が減少し、この結果、スプリアスの発生が抑制される。
【００５８】
同様に、第４トラップ回路を設けているため、第２合成器において、第３出力端子からの出力信号に基づく信号に重畳する不要な信号成分が減少し、この結果、スプリアスの発生が抑制される。
【００５９】
尚、例えば、上記の第１偏波信号、第２偏波信号とは、それぞれ左旋偏波信号、右旋偏波信号である。また、例えば、上記の第１偏波信号、第２偏波信号とは、それぞれ右旋偏波信号、左旋偏波信号である。
【００６０】
また、例えば、上記の第３偏波信号、第４偏波信号とは、それぞれ左旋偏波信号、右旋偏波信号である。また、例えば、上記の第３偏波信号、第４偏波信号とは、それぞれ右旋偏波信号、左旋偏波信号である。
【発明の効果】
【００６１】
上述した通り、本発明に係る衛星放送受信用コンバータによれば、不要な信号成分を低減させることができ、この結果、スプリアスの発生を抑制することができる。
【発明を実施するための最良の形態】
【００６２】
以下、本発明に係る衛星放送受信用コンバータの実施形態につき、図面を参照して詳細に説明する。本発明を衛星放送受信用コンバータの一種である衛星放送用低雑音コンバータ（ＬＮＢ）に実施した形態について説明する。
【００６３】
図１は、本実施形態に係るＬＮＢのブロック図を示している。図１において、図２の同一の部分には同一の符号を付し、重複する説明を省略する。つまり、図１において、図２と同一の符号を付した部分は、図２を用いて説明したものと同一の動作を行う。
【００６４】
そして、図１において、アンテナプローブ３０、線路１、線路２、ＬＮＡ３、ＢＰＦ４、５、ミキサ６、７、局部発振器８、９、ＨＰＦ１０、ＬＰＦ１１、ＩＦ混合回路（合成器）１２、ＩＦアンプ１３、帯域切換スイッチ１４、ＨＰＦ１５及びＬＰＦ１６の接続関係と、ＩＦ混合回路（合成器）１７、ＩＦアンプ１８、コンデンサ１９、出力ポート２０及び制御部２１の接続関係と、アンテナプローブ６０、線路３１、線路３２、ＬＮＡ３３、ＢＰＦ３４、３５、ミキサ３６、３７、局部発振器８、９、ＨＰＦ４０、ＬＰＦ４１、ＩＦ混合回路（合成器）４２、ＩＦアンプ４３、帯域切換スイッチ４４、ＨＰＦ４５及びＬＰＦ４６の接続関係、ＩＦ混合回路（合成器）４７、ＩＦアンプ４８、コンデンサ４９、出力ポート５０及び制御部２１の接続関係と、帯域切換スイッチ１４及び制御部２１の接続関係は、図２におけるものと同一である。
【００６５】
尚、チューナ（不図示）側から出力ポート２０に直流電圧が供給されている。その直流電圧は図示されないレギュレータにより定電圧化され、ＬＮＢ内におけるＬＮＡ３等の各回路に電源電圧として供給される。
【００６６】
注目すべきは、図１において、ＨＰＦ１５の後段にトラップ回路３１が設けられている点と、ＬＰＦ１６の後段にトラップ回路３２が設けられている点と、ＨＰＦ４５の後段にトラップ回路６１が設けられている点と、ＬＰＦ４６の後段にトラップ回路６２が設けられている点である。このことについて、より詳しく説明する。
【００６７】
ＨＰＦ１５の出力側は、誘導素子としてのインダクタＬ１の一端、誘導素子としてのインダクタＬ２の一端、及びＩＦ混合回路（合成器）１７の一方の入力端子に共通接続されている。インダクタＬ１の他端は、容量素子としてのコンデンサＣ１の一端に接続され、コンデンサＣ１の他端には基準電位が与えられている。インダクタＬ２の他端は、容量素子としてのコンデンサＣ２の一端に接続され、コンデンサＣ２の他端には上記基準電位が与えられている。トラップ回路３１は、インダクタＬ１及びＬ２、並びにコンデンサＣ１及びＣ２から構成されている。
【００６８】
ＬＰＦ１６の出力側は、誘導素子としてのインダクタＬ３の一端、誘導素子としてのインダクタＬ４の一端、及びＩＦ混合回路（合成器）１７の他方の入力端子に共通接続されている。インダクタＬ３の他端は、容量素子としてのコンデンサＣ３の一端に接続され、コンデンサＣ３の他端には上記基準電位が与えられている。インダクタＬ４の他端は、容量素子としてのコンデンサＣ４の一端に接続され、コンデンサＣ４の他端には上記基準電位が与えられている。トラップ回路３２は、インダクタＬ３及びＬ４、並びにコンデンサＣ３及びＣ４から構成されている。
【００６９】
ＩＦ混合回路１７は、トラップ回路３１を介して入力したＨＰＦ１５の出力信号と、トラップ回路３２を介して入力したＬＰＦ１６の出力信号とを合成（結合）し、その合成した信号をＩＦアンプ１８に供給することになる。
【００７０】
ＨＰＦ４５の出力側は、誘導素子としてのインダクタＬ５の一端、誘導素子としてのインダクタＬ６の一端、及びＩＦ混合回路（合成器）４７の一方の入力端子に共通接続されている。インダクタＬ５の他端は、容量素子としてのコンデンサＣ５の一端に接続され、コンデンサＣ５の他端には上記基準電位が与えられている。インダクタＬ６の他端は、容量素子としてのコンデンサＣ６の一端に接続され、コンデンサＣ６の他端には上記基準電位が与えられている。トラップ回路６１は、インダクタＬ５及びＬ６、並びにコンデンサＣ５及びＣ６から構成されている。
【００７１】
ＬＰＦ４６の出力側は、誘導素子としてのインダクタＬ７の一端、誘導素子としてのインダクタＬ８の一端、及びＩＦ混合回路（合成器）４７の他方の入力端子に共通接続されている。インダクタＬ７の他端は、容量素子としてのコンデンサＣ７の一端に接続され、コンデンサＣ７の他端には上記基準電位が与えられている。インダクタＬ８の他端は、容量素子としてのコンデンサＣ８の一端に接続され、コンデンサＣ８の他端には上記基準電位が与えられている。トラップ回路６２は、インダクタＬ７及びＬ８、並びにコンデンサＣ７及びＣ８から構成されている。例えば、コンデンサＣ１、Ｃ２、Ｃ３、Ｃ４、Ｃ５、Ｃ６、Ｃ７及びＣ８の夫々の上記他端は、接地されている。
【００７２】
ＩＦ混合回路４７は、トラップ回路６１を介して入力したＨＰＦ４５の出力信号と、トラップ回路６２を介して入力したＬＰＦ４６の出力信号とを合成（結合）し、その合成した信号をＩＦアンプ４８に供給することになる。
【００７３】
そして、インダクタＬ１とコンデンサＣ１から成る直列共振回路（トラップ部）の共振周波数ｆ１及びインダクタＬ２とコンデンサＣ２から成る直列共振回路（トラップ部）の共振周波数ｆ２が、双方低周波側帯域（９５０ＭＨｚ〜１４５０ＭＨｚ）内の周波数となるように、且つ共振周波数ｆ１と共振周波数ｆ２とが異なる周波数となるように、インダクタＬ１、Ｌ２のインダクタンスとコンデンサＣ１、Ｃ２の静電容量は、予め設定されている。
【００７４】
つまり、トラップ回路３１は、帯域切換スイッチ１４の第１出力端子１４ａからの出力される信号中の不要な信号成分、即ち低周波側帯域の周波数成分を減衰させる。ＨＰＦ１５によっても、その不要な信号成分は減衰されるのであるが、トラップ回路３１の存在により、その不要な信号成分を更に減衰させることができる。この結果、スプリアスの発生が抑制される。
【００７５】
また、トラップ回路３１は、低周波側帯域（９５０ＭＨｚ〜１４５０ＭＨｚ）内の互いに異なる所定の周波数を減衰の中心周波数とする２つの直列共振回路（トラップ部）から成っているため、広帯域にわたり不要な信号成分を減衰させることができる。この結果、スプリアスの発生がより抑制される。
【００７６】
同様に、インダクタＬ５とコンデンサＣ５から成る直列共振回路（トラップ部）の共振周波数ｆ５及びインダクタＬ６とコンデンサＣ６から成る直列共振回路（トラップ部）の共振周波数ｆ６が、双方低周波側帯域（９５０ＭＨｚ〜１４５０ＭＨｚ）内の周波数となるように、且つ共振周波数ｆ５と共振周波数ｆ６とが異なる周波数となるように、インダクタＬ５、Ｌ６のインダクタンスとコンデンサＣ５、Ｃ６の静電容量は、予め設定されている。これにより、上記と同様の効果（不要な信号成分の更なる減衰及び広帯域にわたる減衰によるスプリアス発生の抑制）が得られる。
【００７７】
尚、トラップ回路３１中の２つの直列共振回路（トラップ部）の共振周波数ｆ１、ｆ２が等しくなるように、インダクタＬ１のインダクタンス等を設定しても構わない。同様に、トラップ回路６１中の２つの直列共振回路（トラップ部）の共振周波数ｆ５、ｆ６が等しくなるように、インダクタＬ５のインダクタンス等を設定しても構わない。但し、広帯域にわたる減衰効果を得るためには、共振周波数ｆ１、ｆ２が異なる周波数となるように、また、共振周波数ｆ５、ｆ６が異なる周波数となるように、インダクタＬ１、Ｌ５のインダクタンス等を設定することが望ましい。また、共振周波数ｆ１、ｆ２、ｆ５及びｆ６を全て同じとしても構わない。
【００７８】
また、トラップ回路３１、６１の夫々が、２つの直列共振回路（トラップ部）からなる例を図１に示したが、直列共振回路の数は「２」に限定されないのは勿論である。つまり、直列共振回路の数としては、１以上の整数値の何れをも採用可能である。
【００７９】
更に、トラップ回路３１をＨＰＦ１５の後段に設ける例を図１に示したが、トラップ回路３１を帯域切換スイッチ１４の後段であって、且つＨＰＦ１５の前段に設けるようにしても構わない。同様に、トラップ回路６１をＨＰＦ４５の後段に設ける例を図１に示したが、トラップ回路６１を帯域切換スイッチ１４の後段であって、且つＨＰＦ４５の前段に設けるようにしても構わない。
【００８０】
また、インダクタＬ３とコンデンサＣ３から成る直列共振回路（トラップ部）の共振周波数ｆ３及びインダクタＬ４とコンデンサＣ４から成る直列共振回路（トラップ部）の共振周波数ｆ４が、双方高周波側帯域（１６５０ＭＨｚ〜２１５０ＭＨｚ）内の周波数となるように、且つ共振周波数ｆ３と共振周波数ｆ４とが異なる周波数となるように、インダクタＬ３、Ｌ４のインダクタンスとコンデンサＣ３、Ｃ４の静電容量は、予め設定されている。
【００８１】
つまり、トラップ回路３２は、帯域切換スイッチ１４の第２出力端子１４ｂからの出力される信号中の不要な信号成分、即ち高周波側帯域の周波数成分を減衰させる。ＬＰＦ１６によっても、その不要な信号成分は減衰されるのであるが、トラップ回路３２の存在により、その不要な信号成分を更に減衰させることができる、この結果、スプリアスの発生が抑制される。
【００８２】
また、トラップ回路３２は、高周波側帯域（１６５０ＭＨｚ〜２１５０ＭＨｚ）内の互いに異なる所定の周波数を減衰の中心周波数とする２つの直列共振回路（トラップ部）から成っているため、広帯域にわたり不要な信号成分を減衰させることができる。この結果、スプリアスの発生がより抑制される。
【００８３】
同様に、インダクタＬ７とコンデンサＣ７から成る直列共振回路（トラップ部）の共振周波数ｆ７及びインダクタＬ８とコンデンサＣ８から成る直列共振回路（トラップ部）の共振周波数ｆ８が、双方高周波側帯域（１６５０ＭＨｚ〜２１５０ＭＨｚ）内の周波数となるように、且つ共振周波数ｆ７と共振周波数ｆ８とが異なる周波数となるように、インダクタＬ７、Ｌ８のインダクタンスとコンデンサＣ７、Ｃ８の静電容量は、予め設定されている。これにより、上記と同様の効果（不要な信号成分の更なる減衰及び広帯域にわたる減衰によるスプリアス発生の抑制）が得られる。
【００８４】
尚、トラップ回路３２中の２つの直列共振回路（トラップ部）の共振周波数ｆ３、ｆ４が等しくなるように、インダクタＬ３のインダクタンス等を設定しても構わない。同様に、トラップ回路６２中の２つの直列共振回路（トラップ部）の共振周波数ｆ７、ｆ８が等しくなるように、インダクタＬ７のインダクタンス等を設定しても構わない。但し、広帯域にわたる減衰効果を得るためには、共振周波数ｆ３、ｆ４が異なる周波数となるように、また、共振周波数ｆ７、ｆ８が異なる周波数となるように、インダクタＬ３、Ｌ７のインダクタンス等を設定することが望ましい。また、共振周波数ｆ３、ｆ４、ｆ７及びｆ８を全て同じとしても構わない。
【００８５】
また、トラップ回路３２、６２の夫々が、２つの直列共振回路（トラップ部）からなる例を図１に示したが、直列共振回路の数は「２」に限定されないのは勿論である。つまり、直列共振回路の数としては、１以上の整数値の何れをも採用可能である。
【００８６】
更に、トラップ回路３２をＬＰＦ１６の後段に設ける例を図１に示したが、トラップ回路３２を帯域切換スイッチ１４の後段であって、且つＬＰＦ１６の前段に設けるようにしても構わない。同様に、トラップ回路６２をＬＰＦ４６の後段に設ける例を図１に示したが、トラップ回路６２を帯域切換スイッチ１４の後段であって、且つＬＰＦ４６の前段に設けるようにしても構わない。
【００８７】
（変形）
２衛星受信、且つ２出力タイプのＬＮＢを例に挙げて、本発明の実施の一形態を説明したが、本発明は、ｎ衛星受信、且つｍ出力タイプ（ｎは２以上の任意の整数、ｍは２以上の任意の整数）の衛星放送受信用コンバータに広く適用可能である。
【００８８】
また、図１においては、アンテナプローブ３０を備えたアンテナと、アンテナプローブ６０を備えたアンテナとが、別体であるかのように記載しているが、別体としても構わないし、一体としても構わない（即ち、アンテナプローブ３０とアンテナプローブ６０を１つのアンテナ内に設けるようにしても構わない）。
【産業上の利用可能性】
【００８９】
本発明に係る衛星放送受信用コンバータによれば、不要な信号成分を低減させることができ、この結果、スプリアスの発生を抑制することができる。
【図面の簡単な説明】
【００９０】
【図１】本発明の実施形態に係るＬＮＢの電気的な構成図である。
【図２】従来のＬＮＢの電気的な構成図である。
【図３】図１及び図２の帯域切換スイッチ周辺の動作を説明するための図である。
【図４】図１及び図２の帯域切換スイッチの出力信号を説明するための図である。
【符号の説明】
【００９１】
１、２、３１、３２    線路
３、３３    ＬＮＡ
４、５、３４、３５    ＢＰＦ
６、７、３６、３７    ミキサ
８、９    局部発振器
１０、４０    ＨＰＦ
１１、４１    ＬＰＦ
１２、１７、４２、４７    ＩＦ混合回路（合成器）
１３、１８、４３、４８    ＩＦアンプ
１４    帯域切換スイッチ
１４ａ    第１出力端子
１４ｂ    第２出力端子
１４ｃ    第３出力端子
１４ｄ    第４出力端子
１５、４５    ＨＰＦ
１６、４６    ＬＰＦ
１９、４９    コンデンサ
２０、５０    出力ポート
３０、６０    アンテナプローブ
３１、３２、６１、６２    トラップ回路
Ｌ１、Ｌ２、Ｌ３、Ｌ４、Ｌ５、Ｌ６、Ｌ７、Ｌ８    インダクタ
Ｃ１、Ｃ２、Ｃ３、Ｃ４、Ｃ５、Ｃ６、Ｃ７、Ｃ８    コンデンサ
【図１】
2006148379.tif 000003
【図２】
2006148379.tif 000004
【図３】
2006148379.tif 000005
【図４】
2006148379.tif 000006